【手続補正書】
【提出日】平成28年12月19日(2016.12.19)
【手続補正１】
【補正対象書類名】特許請求の範囲
【補正対象項目名】全文
【補正方法】変更
【補正の内容】
【特許請求の範囲】
【請求項１】
（ａ）本体と、
（ｂ）針と、
（ｃ）本体に対して相対的に縦に針を移動させるように動作する針射出機構と、を含むバイオプシー装置であって、
前記針は、針軸に沿って本体に対して相対的に縦に移動するように構成され、かつ
（ｉ）鋭い先端部、及び
（ｉｉ）ハブ部、を含み、
前記ハブ部は、遠位側フランジ及び近位側フランジを含み、
前記針射出機構は、針のハブ部と係合されるフォーク部材を含み、
前記フォーク部材は、
（ｉ）前記フォーク部材から遠位側へ突出して遠位側稜部（ないしエッジ）において互いに接する、一対の遠位側傾斜面、及び
（ｉｉ）前記フォーク部材から近位側へ突出して近位側稜部において互いに接する、一対の近位側傾斜面を有し、
前記遠位側稜部は、前記遠位側フランジと係合するように構成され、
前記近位側稜部は、前記近位側フランジと係合するように構成される、
ことを特徴とするバイオプシー装置。
【請求項２】
前記遠位側稜部が、第１の垂直位置において前記遠位側フランジと係合するように構成され、
前記近位側稜部が、第２の垂直位置において前記近位側フランジと係合するように構成され、
第２の垂直位置が、第１の垂直位置とは異なる、
ことを特徴とする請求項１に記載のバイオプシー装置。
【請求項３】
前記フォーク部材が、フォーク本体から上向きに延在する一対のプロング（爪部）を有するフォーク本体を含むことを特徴とする請求項１に記載のバイオプシー装置。
【請求項４】
少なくとも１つのプロングが、前記一対の遠位側傾斜面を有することを特徴とする請求項３に記載のバイオプシー装置。
【請求項５】
少なくとも１つのプロングが、前記一対の近位側傾斜面を有することを特徴とする請求項４に記載のバイオプシー装置。
【請求項６】
各プロングが、各々の先端部において終端することを特徴とする請求項３に記載のバイオプシー装置。
【請求項７】
前記遠位側稜部が対応するプロングの先端部から垂直方向の距離を隔てて配されるように、前記遠位側稜部がフォーク本体と一対のプロングの対応するプロングの先端部との間の垂直位置に配されることを特徴とする請求項６に記載のバイオプシー装置。
【請求項８】
前記近位側稜部が対応するプロングの先端部から垂直方向の距離を隔てて配されるように、前記近位側稜部がフォーク本体と一対のプロングの対応するプロングの先端部との間の垂直位置に配されることを特徴とする請求項７に記載のバイオプシー装置。
【請求項９】
前記遠位側稜部と対応するプロングの先端部との間の垂直方向の距離が、前記遠位側稜部と対応するプロングの先端部との間の垂直方向の距離未満であることを特徴とする請求項８に記載のバイオプシー装置。
【請求項１０】
射出フォークが、一対のプロングの各プロングとフォーク本体との間での移行部を成す湾曲棚部を含むことを特徴とする請求項３に記載のバイオプシー装置。
【請求項１１】
針がフォーク部材の内側で回転するように構成される、請求項１に記載のバイオプシー装置。
【請求項１２】
前記遠位側フランジがサムホイールを形成するように構成される請求項１に記載のバイオプシー装置。
【請求項１３】
針射出機構が、
（ｉ）針を本体に対して相対的に遠位側へ付勢するように構成される弾性部材と、
（ｉｉ）針と係合される移動部材であって、該移動部材は弾性部材を圧縮するように動作するものと、
を更に含むこと、を特徴とする請求項１に記載のバイオプシー装置。
【請求項１４】
針射出機構がモーターを更に含み、該モーターが移動部材を本体に対して相対的に遠位側へ移動させるように動作すること、を特徴とする請求項１３に記載のバイオプシー装置。
【請求項１５】
モーターが、更に、移動部材を本体に対して相対的に近位側へ移動させるように動作することを特徴とする請求項１４に記載のバイオプシー装置。
【請求項１６】
移動部材が少なくとも１つの歯止めポールを有することを特徴とする請求項１３に記載のバイオプシー装置。
【請求項１７】
移動部材が本体部分とキャップ部材とを含み、該キャップ部材が該本体部分と協働的に、少なくとも１つの歯止めポールを本体部分に対して相対的に保持するように構成される請求項１６に記載のバイオプシー装置。
【請求項１８】
本体部分が、垂直方向に形成された凹状部と水平方向に形成された凹状部を画成し、
キャップ部材が、垂直方向の突起部と水平方向の突起部とを含み、
垂直方向の凹状部が、垂直方向の突起部を受容するように構成され、かつ、
水平方向の凹状部が、水平方向の突起部を受容するように構成されること
を特徴とする請求項１７に記載のバイオプシー装置。
【請求項１９】
（ａ）本体と、
（ｂ）針と、
（ｃ）本体に対して相対的に縦に針を移動させるよう動作する針射出機構と、を含むバイオプシー装置であって、
前記針は、本体に対して相対的に縦に移動するように構成され、
前記針射出機構は、針と係合されるフォーク部材を含み、
前記フォーク部材は、
（ｉ）フォーク本体と、
（ｉｉ）フォーク本体から上向きに延在する第１のプロングと、
（ｉｉｉ）フォーク本体から上向きに延在する第２のプロングとを含み、
前記第１のプロングは、
（Ａ）前記第１のプロングから遠位側へ突出して遠位側稜部において互いに接する、一対の遠位側傾斜面と、
（Ｂ）前記第１のプロングから近位側へ突出して近位側稜部において互いに接する、一対の近位側傾斜面とを含み、
前記第２のプロングは、
（Ａ）前記第２のプロングから遠位側へ突出して遠位側稜部において互いに接する、一対の遠位側傾斜面と、
（Ｂ）前記第２のプロングから近位側へ突出して近位側稜部において互いに接する、一対の近位側傾斜面とを含む、
ことを特徴とするバイオプシー装置。
【請求項２０】
（ａ）本体と、
（ｂ）針と、
（ｃ）本体に対して相対的に縦に針を移動させるよう動作する針射出機構と、を含むバイオプシー装置であって、
前記針は、針軸に沿って本体に対して相対的に縦に移動するように構成され、かつ
（ｉ）鋭い先端部、及び
（ｉｉ）ハブ部、を含み、
前記ハブ部は、遠位側フランジ及び近位側フランジを含み、
前記針射出機構は、針のハブ部と係合されるフォーク部材を含み、
前記フォーク部材は、
（ｉ）水平に配向される遠位側稜部と、
（ｉｉ）水平に配向される近位側稜部と、を含み、
前記遠位側稜部は、第１の垂直位置において前記遠位側フランジと係合するように構成され、かつ、前記フォーク部材から遠位側へ突出して遠位側稜部において互いに接する一対の傾斜面によって形成され、
前記近位側稜部は、第２の垂直位置において前記近位側フランジと係合するように構成され、かつ、前記フォーク部材から近位側へ突出して近位側稜部において互いに接する一対の傾斜面によって形成される、
ことを特徴とするバイオプシー装置。
【手続補正２】
【補正対象書類名】明細書
【補正対象項目名】０００３
【補正方法】変更
【補正の内容】
【０００３】
バイオプシーサンプルを取得するためにいくつかのシステム及び方法が作製及び使用されているが、本発明者らより前に誰も特許請求の範囲に記載の発明をしていない、または、使用していないと信じられる。
なお、本発明は以下の好ましい形態も含む。
（形態１）
（ａ）本体と、
（ｂ）本体に対して相対的に縦に移動するように構成される針と
（ｃ）本体に対して相対的に縦に針を移動させるように動作する針射出機構と、を含み、
該針は、
（ｉ）鋭い先端部、及び
（ｉｉ）遠位側フランジ及び近位側フランジを含むハブ部、を含み、
該針射出機構は、針のハブ部と係合されるフォーク部材を含み、
該フォーク部材は、
（ｉ）前記遠位側フランジと係合するように構成され、遠位側稜部（ないしエッジ）において互いに接する一対の遠位側傾斜面、及び
（ｉｉ）前記近位側フランジと係合するように構成され、近位側稜部において互いに接する一対の近位側傾斜面を有する、バイオプシー装置。
（形態２）
前記遠位側稜部が、第１の垂直位置において前記遠位側フランジと係合するように構成され、
前記近位側稜部が、第２の垂直位置において前記近位側フランジと係合するように構成され、
第２の垂直位置が、第１の垂直位置とは異なる、
ことを特徴とする形態１に記載のバイオプシー装置。
（形態３）
射出フォーク（フォーク部材）が、フォーク本体と、フォーク本体から上向きに延在する一対のプロング（爪部）とを有することを特徴とする形態１に記載のバイオプシー装置。
（形態４）
少なくとも１つのプロングが、一対の遠位側傾斜面を有することを特徴とする形態３に記載のバイオプシー装置。
（形態５）
少なくとも１つのプロングが一対の近位側傾斜面を有することを特徴とする形態４に記載のバイオプシー装置。
（形態６）
各プロングが、各々の先端部において終端することを特徴とする形態３に記載のバイオプシー装置。
（形態７）
前記遠位側稜部が対応するプロングの先端部から垂直方向の距離を隔てて配されるように、前記遠位側稜部がフォーク本体と一対のプロングの対応するプロングの先端部との間の垂直位置に配されることを特徴とする形態６に記載のバイオプシー装置。
（形態８）
前記近位側稜部が対応するプロングの先端部から垂直方向の距離を隔てて配されるように、前記近位側稜部がフォーク本体と一対のプロングの対応するプロングの先端部との間の垂直位置に配されることを特徴とする形態７に記載のバイオプシー装置。
（形態９）
前記遠位側稜部と対応するプロングの先端部との間の垂直方向の距離が、前記遠位側稜部と対応するプロングの先端部との間の垂直方向の距離未満であることを特徴とする形態８に記載のバイオプシー装置。
（形態１０）
射出フォークが、一対のプロングの各プロングとフォーク本体との間での移行部を成す湾曲棚部を含むことを特徴とする形態３に記載のバイオプシー装置。
（形態１１）
針がフォーク部材の内側で回転するように構成される、形態１に記載のバイオプシー装置。
（形態１２）
前記近位側フランジがサムホイールを形成するように構成される形態１に記載のバイオプシー装置。
（形態１３）
針射出機構が、
（ｉ）針を本体に対して相対的に遠位側へ付勢するように構成される弾性部材と、
（ｉｉ）針と係合される移動部材であって、該移動部材は弾性部材を圧縮するように動作するものと、
を更に含むこと、を特徴とする形態１に記載のバイオプシー装置。
（形態１４）
針射出機構がモーターを更に含み、該モーターが移動部材を本体に対して相対的に遠位側へ移動させるように動作すること、を特徴とする形態１３に記載のバイオプシー装置。
（形態１５）
モーターが、更に、移動部材を本体に対して相対的に近位側へ移動させるように動作することを特徴とする形態１４に記載のバイオプシー装置。
（形態１６）
移動部材が少なくとも１つの歯止めポールを有することを特徴とする形態１３に記載のバイオプシー装置。
（形態１７）
移動部材が本体部分とキャップ部材とを含み、該キャップ部材が該本体部分と協働的に、少なくとも１つの歯止めポールを本体部分に対して相対的に保持するように構成される形態１６に記載のバイオプシー装置。
（形態１８）
本体部分が、垂直方向に形成された凹状部と水平方向に形成された凹状部を画成し、
キャップ部材が、垂直方向の突起部と水平方向の突起部とを含み、
垂直方向の凹状部が、垂直方向の突起部を受容するように構成され、かつ、
水平方向の凹状部が、水平方向の突起部を受容するように構成されること
を特徴とする形態１７に記載のバイオプシー装置。
（形態１９）
（ａ）本体と、
（ｂ）本体に対して相対的に縦に移動するように構成される針と、
（ｃ）本体に対して相対的に縦に針を移動させるよう動作する針射出機構と、を含み、
該針は、
（ｉ）鋭い先端部、及び
（ｉｉ）遠位側フランジ及び近位側フランジを含むハブ部、を含み、
該針射出機構は、針のハブ部と係合されるフォーク部材を含み、
該フォーク部材は、
（ｉ）第１の垂直位置において前記遠位側フランジと係合するように構成される、水平に配向された遠位側稜部と、
（ｉｉ）第２の垂直位置（第２の垂直位置は第１の垂直位置と異なる）において前記近位側フランジと係合するように構成される、水平に配向された近位側稜部とを含む、バイオプシー装置。
（形態２０）
（ａ）本体と、
（ｂ）本体に対して相対的に縦に移動するように構成される針と、
（ｃ）本体に対して相対的に縦に針を移動させるよう動作する針射出機構と、を含むバイオプシー装置であって、
針射出機構が、針と係合されるフォーク部材を含み、
フォーク部材が、
（ｉ）フォーク本体と、
（ｉｉ）フォーク本体から上向きに延在する第１のプロングと
（ｉｉｉ）フォーク本体から上向きに延在する第２のプロングとを含み、
第１のプロングは、
（Ａ）遠位側稜部において互いに接する一対の遠位側傾斜面と、
（Ｂ）近位側稜部において互いに接する一対の近位側傾斜面とを含み、
第２のプロングは、
（Ａ）遠位側稜部において互いに接する一対の遠位側傾斜面と、
（Ｂ）近位側稜部において互いに接する一対の近位側傾斜面とを含む、
ことを特徴とするバイオプシー装置。